(57)【要約】【課題】  窒素の吸着特性に優れたストロンチウムイオン交換クリノプチロライト及びその製造方法を提供する。【解決手段】  イオン交換サイトにストロンチウムイオンを有する合成クリノプチロライトは、窒素吸着剤として有用である。また、このような合成クリノプチロライトは、ストロンチウムイオンを含有する溶液と合成クリノプチロライトとを常圧下で接触させてイオン交換することで製造することができる。【選択図】    図１
2013147415.tif 000002
【特許請求の範囲】
【請求項１】
イオン交換サイトにストロンチウムイオンを有する合成クリノプチロライト。
【請求項２】
イオン交換サイトにおけるイオンの少なくとも３５ｍｏｌ％がストロンチウムイオンである請求項１に記載の合成クリノプチロライト。
【請求項３】
細孔直径３〜１０，０００ｎｍの範囲の細孔容積が０．５ｍＬ／ｇ以上である請求項１又は２に記載の合成クリノプチロライト。
【請求項４】
平均細孔直径が２００ｎｍ以上である請求項１乃至３のいずれか１つに記載の合成クリノプチロライト。
【請求項５】
ストロンチウムを含有する溶液と合成クリノプチロライトとを常圧下で接触させてイオン交換することを含む請求項１乃至４のいずれか１つに記載の合成クリノプチロライトの製造方法。
【請求項６】
前記合成クリノプチロライトが、
ケイ酸アルカリとアルミニウム塩から得られた無定形アルミノシリケートゲル、水、およびアルカリ金属水酸化物を混合し、モル比で、
ＳｉＯ２／Ａｌ２Ｏ３＝８〜２０
ＯＨ／ＳｉＯ２＝０．２５〜０．５
Ｋ／（Ｋ＋Ｎａ）＝０．５〜０．９
Ｈ２Ｏ／ＳｉＯ２＝１０〜１００
である混合物を得、
得られた混合物を種晶の存在下で攪拌しながら１００〜２００℃で結晶化して得られたクリノプチロライトである請求項５に記載の合成クリノプチロライトの製造方法。
【請求項７】
請求項１乃至４のいずれか１つに記載の合成クリノプチロライトを含む窒素吸着剤。
【発明の詳細な説明】
【技術分野】
【０００１】
本発明は、ストロンチウムイオン交換クリノプチロライトに関するものである。
【背景技術】
【０００２】
クリノプチロライトは天然ゼオライトの一種として広く産出されるゼオライトであり、これはガス吸着剤として工業的に使用されている。ガス吸着剤として使用する場合、クリノプチロライトはそのイオン交換サイトを適当なイオンに交換した状態で使用される。このようなクリノプチロライトとして、例えば、カルシウム交換クリノプチロライト（例えば、特許文献１参照）、マグネシウム交換クリノプチロライト（例えば、特許文献２参照）、及びストロンチウム交換クリノプチロライト（例えば、非特許文献１参照）など、天然に産出されたクリノプチロライトを各種のイオンでイオン交換して得られたイオン交換クリノプチロライトが報告されている。
【先行技術文献】
【特許文献】
【０００３】
【特許文献１】特開昭６１−１０７９４１号公報
【特許文献２】米国特許第４，９６４，８８９号
【非特許文献】
【０００４】
【非特許文献１】Ｉｎｄ．Ｅｎｇ．Ｃｈｅｍ．Ｒｅｓ，ｖｏｌ．４４，ｐ５１８４−５１９２，２００５
【発明の概要】
【発明が解決しようとする課題】
【０００５】
本発明は、窒素の吸着特性が向上したストロンチウムイオン交換クリノプチロライト及びその製造方法を提供する。
【課題を解決するための手段】
【０００６】
本発明者らは、上記の課題に対して鋭意検討した結果、イオン交換サイトにストロンチウムを有する合成クリノプチロライトが窒素の吸着特性に優れることを見出した。さらには、このようなクリノプチロライトは吸着特性のみならず、操作性にも優れていることを見出し、本発明を完成するに至った。
【０００７】
すなわち、本願は以下に記載の態様を包含する。
（１）  イオン交換サイトにストロンチウムイオンを有する合成クリノプチロライト。
（２）  イオン交換サイトにおけるイオンの少なくとも３５ｍｏｌ％がストロンチウムイオンである（１）に記載の合成クリノプチロライト。
（３）  細孔直径３〜１０，０００ｎｍの範囲の細孔容積が０．５ｍＬ／ｇ以上である（１）又は（２）に記載の合成クリノプチロライト。
（４）  平均細孔直径が２００ｎｍ以上である（１）乃至（３）のいずれか１つに記載の合成クリノプチロライト。
（５）  ストロンチウムを含有する溶液と合成クリノプチロライトとを常圧下で接触させてイオン交換することを含む（１）乃至（４）のいずれか１つに記載の合成クリノプチロライトの製造方法。
（６）  前記合成クリノプチロライトが、
ケイ酸アルカリとアルミニウム塩から得られた無定形アルミノシリケートゲル、水、およびアルカリ金属水酸化物を混合し、モル比で、
ＳｉＯ２／Ａｌ２Ｏ３＝８〜２０
ＯＨ／ＳｉＯ２＝０．２５〜０．５
Ｋ／（Ｋ＋Ｎａ）＝０．５〜０．９
Ｈ２Ｏ／ＳｉＯ２＝１０〜１００
である混合物を得、
得られた混合物を種晶の存在下で攪拌しながら１００〜２００℃で結晶化して得られたクリノプチロライトである（５）に記載の合成クリノプチロライトの製造方法。
（７）  （１）乃至（４）のいずれか１つに記載の合成クリノプチロライトを含む合成クリノプチロライト成形体。
（８）  （１）乃至（４）のいずれか１つに記載の合成クリノプチロライトを含む窒素吸着剤。
【発明の実施の形態】
【０００８】
本実施形態は、イオン交換サイトにストロンチウムイオンを有する合成クリノプチロライト（以下、「ストロンチウム交換クリノプチロライト」とする）に関する。
【０００９】
ここで、イオン交換サイトとは、クリノプチロライトを構成する負に帯電したアルミニウム上に存在するサイトであり、アルミニウムの負電荷を補償するため、水素、アルカリ金属、アルカリ土金属、遷移金属などの陽イオンが存在するサイトをいう。
【００１０】
以下、本実施形態のストロンチウム交換クリノプチロライトについて説明する。
【００１１】
本実施形態のストロンチウム交換クリノプチロライトは合成クリノプチロライトである。クリノプチロライトは天然にも産出されるゼオライトではあるが、天然に産出されたクリノプチロライト（以下、「天然クリノプチロライト」という）を用いると、窒素平衡吸着量が低くなる。合成クリノプチロライトとは、天然クチノプチロライトとは区別され、出発原料から合成されたクリノプチロライトをいう。
【００１２】
本実施形態のストロンチウム交換クリノプチロライトは、イオン交換サイトにストロンチウムイオン（Ｓｒ２＋）を有する。イオン交換サイトにストロンチウムイオンを有することで、窒素の吸着特性が向上する。
【００１３】
合成クリノプチロライトのイオン交換サイトに存在するイオンにおけるストロンチウムイオンの割合（以下、「ストロンチウム交換率」とする）が多いほど、窒素の吸着特性は向上する。本実施形態のストロンチウム交換クリノプチロライトのストロンチウム交換率は、クリノプチロライトのイオン交換サイトに存在するイオンの量に対して、少なくとも３５ｍｏｌ％である。ストロンチウム交換率は、クリノプチロライトのイオン交換サイトに存在するイオンの量に対して少なくとも４０ｍｏｌ％であることが好ましく、少なくとも６５ｍｏｌ％であることがより好ましく、少なくとも７０ｍｏｌ％であることがさらに好ましく、少なくとも７５ｍｏｌ％であることがさらにより好ましい。
【００１４】
また、イオン交換サイトに存在するストロンチウムイオン以外のイオン種としては、ナトリウムイオン（Ｎａ＋）、カリウムイオン（Ｋ＋）などのアルカリ金属イオンや、マグネシウムイオン（Ｍｇ２＋）、カルシウムイオン（Ｃａ２＋）などのアルカリ土金属イオンなどが例示できる。
【００１５】
なお、ストロンチウム交換率は、例えば組成分析を行うことによりＣａ２＋、Ｓｒ２＋、Ｍｇ２＋、Ｎａ＋、Ｋ＋（以下、「カチオン」とする）の量（モル数）を得、カチオンの全量におけるストロンチウムイオンの量の割合をｍｏｌ％で算出することにより得ることができる。
【００１６】
本実施形態のストロンチウム交換クリノプチロライトのＳｉＯ２／Ａｌ２Ｏ３のモル比は特に限定されない。ＳｉＯ２／Ａｌ２Ｏ３のモル比としては、例えば、１０未満（Ｓｉ／Ａｌの原子比で５未満）を挙げることができる。
【００１７】
本実施形態のストロンチウム交換クリノプチロライトは、細孔直径３〜１０，０００ｎｍの範囲の細孔容積が０．５ｍＬ／ｇ以上であることが好ましく、０．７ｍＬ／ｇ以上であることがより好ましく、０．８ｍＬ／ｇ以上であることがさらに好ましい。細孔直径３〜１０，０００ｎｍの範囲の細孔容積が０．５ｍＬ／ｇ以上であると、吸脱着特性が向上しやすい。
【００１８】
ここで、本実施形態のストロンチウム交換クリノプチロライトは、一次粒子が凝集した二次粒子からなるように構成することができる。細孔直径３〜１０，０００ｎｍの細孔容積は、例えば一次粒子間に形成された細孔であり、細孔直径１０，０００ｎｍを超えた細孔容積は、例えば二次粒子間に形成される粉末粒子間空隙である。
【００１９】
本実施形態のストロンチウム交換クリノプチロライトは平均細孔直径が２００ｎｍ以上であることが好ましく、４００ｎｍ以上であることがより好ましい。平均細孔直径が２００ｎｍ以上であると、適度な充填性及び強度を有する。これにより、本実施形態のストロンチウム交換クリノプチロライトが操作性に優れた粉末となりやすい。
【００２０】
なお、細孔直径３〜１０，０００ｎｍの範囲の細孔容積および平均細孔直径は、例えば水銀圧入法に基づき測定することができる。
【００２１】
次に、本実施形態のストロンチウム交換クリノプチロライトの製造方法について説明する。
【００２２】
本実施形態のストロンチウム交換クリノプチロライトは、ストロンチウムイオンを含有する溶液と合成クリノプチロライトとを常圧下で接触させてイオン交換（以下、「ストロンチウム交換」ともいう）することで製造することができる。
【００２３】
ここで、常圧とは、特に減圧や加圧等をしない状態をいい、約１気圧（約１０１３２５Ｐａ）程度のことをいう。
【００２４】
ストロンチウムイオンを含有する溶液（以下、「ストロンチウム溶液」とする）と接触させるクリノプチロライトは、合成クリノプチロライトであることが好ましい。より好ましい合成クリノプチロライトとして、ケイ酸アルカリとアルミニウム塩から得られた無定形アルミノシリケートゲル、水、アルカリ金属水酸化物を混合し、モル比で、
ＳｉＯ２／Ａｌ２Ｏ３＝８〜２０
ＯＨ／ＳｉＯ２＝０．２５〜０．５
Ｋ／（Ｋ＋Ｎａ）＝０．５〜０．９
Ｈ２Ｏ／ＳｉＯ２＝１０〜１００
である混合物（以下、「原料混合物」という）を得、得られた原料混合物を種晶の存在下で攪拌しながら１００〜２００℃で結晶化して得られる合成クリノプチロライトを挙げることができる。
【００２５】
この場合、ケイ酸アルカリとしては、ケイ酸ナトリウム、ケイ酸カリウム又はシリカゾルなどの水溶液を用いることが好ましい。さらに、固体状のシリカ源である無定形シリカ、シリカゲル、カオリナイト又は珪藻土などは、アルカリ成分で溶解してケイ酸アルカリとして用いることが好ましい。
【００２６】
アルミニウム塩としては、アルミン酸ナトリウム、アルミン酸カリウム、アルミニウムの塩化物、硝酸塩又は硫酸塩などの水溶液を用いることが好ましい。さらに、水酸化アルミニウム等の固体状のアルミニウム源は、鉱酸やアルカリ成分で溶解してアルミニウム塩として使用することが好ましい。
【００２７】
ケイ酸アルカリの水溶液とアルミニウム塩の水溶液とを混合して得られる無定形アルミノシリケートゲルを用いることが好ましい。混合時の温度は室温〜１００℃の範囲が例示できる。
【００２８】
また、必要に応じて水酸化ナトリウムや水酸化カリウムのアルカリ成分、若しくは、硫酸、塩酸等の酸成分をケイ酸アルカリの水溶液とアルミニウム塩の水溶液との混合液に加えることができる。
【００２９】
得られた無定形アルミノシリケートゲルは、必要に応じて濾過洗浄等を行い、副生塩を除去することが好ましい。
【００３０】
次に、水、水酸化ナトリウム又は水酸化カリウム若しくはその両者、得られた無定形アルミノシリケートゲルから原料混合物を得ることが好ましい。
【００３１】
原料混合物の組成は、モル比で
ＳｉＯ２／Ａｌ２Ｏ３＝８〜２０
ＯＨ／ＳｉＯ２＝０．２５〜０．５
Ｋ／（Ｋ＋Ｎａ）＝０．５〜０．９
Ｈ２Ｏ／ＳｉＯ２＝１０〜１００
であることが好ましい。
【００３２】
ＯＨ／ＳｉＯ２モル比をこの範囲内にすることで、クリノプチロライト以外のゼオライト、またはゼオライト以外の鉱物（副生物）が生成しにくくなる。同様に、Ｋ／（Ｋ＋Ｎａ）モル比を０．５以上０．９以下とすることで、クリノプチロライト以外のゼオライトの生成を抑制することができる。
【００３３】
得られた原料混合物は、加熱して結晶化する。
【００３４】
結晶化温度は、１００〜２００℃であることが好ましい。結晶化温度が１００℃以上であると、結晶化の進行が促進されやすい。また、結晶化温度が高いほど結晶化速度は速くなりやすいが、２００℃以下であれば高温高圧型の反応容器等を必要とせずに結晶化できるため、結晶化温度は２００℃以下であることが好ましい。
【００３５】
結晶化時間は、結晶化が十分に進行する時間として、例えば、１日から１５日間程度とすることが挙げられる。
【００３６】
結晶化は、撹拌下で行うことが好ましい。攪拌下で結晶化を行った場合、結晶化速度が速くなるだけでなく、クリノプチロライトの単一相が得られやすくなる。
【００３７】
また、結晶化においては、原料混合物に種晶を添加することが好ましい。原料混合物に種晶を添加して結晶化を行なうことによって結晶化時間を大幅に短縮することができる。種晶は、クリノプチロライトであることが好ましく、天然クリノプチロライト、合成クリノプチロライトのいずれをも使用することができる。種晶の量は、原料混合物に対して１重量％以上２０重量％以下であることが好ましい。種晶の量が１重量％以上であれば結晶化時間の短縮効果が得られる。また、種晶の量が２０重量％であれば結晶化時間の短縮効果が十分に得られるので、種晶の量は例えば２０重量％以下とすることができる。
【００３８】
結晶化が終了した後、生成した結晶を母液と分離し、水洗し、乾燥して結晶粉末を得ることで、Ｎａ，Ｋ型のクリノプチロライト（以下、「Ｎａ，Ｋ型クリノプチロライト」という）が得られる。
【００３９】
得られるＮａ，Ｋ型クリノプチロライトは、以下の式で表されることが好ましい。
【００４０】
ｘ（Ｋ，Ｎａ）２Ｏ・Ａｌ２Ｏ３・ｙＳｉＯ２・ｚＨ２Ｏ
（但し、ｘ＝０．８〜１．２，ｙ＝７．０〜１２．０，ｚ≧０，Ｋ／（Ｋ＋Ｎａ）＝０．５０〜０．９８）
上記一般式において、ｙ（ＳｉＯ２／Ａｌ２Ｏ３モル比）は７．０〜１２．０である。７．０以上であるとクリノプチロライトの耐熱性が向上し、１２．０以下であれば、クリノプチロライトの単一相が得られやすい。結晶相の含有率は９０％以上であることが好ましく、９５％以上であることがさらに好ましい。
【００４１】
クリノプチロライトは、上記一般式において、Ｋ／（Ｋ＋Ｎａ）＝０．５０〜０．９８であることが好ましい。
【００４２】
本実施形態の合成クリノプチロライトの製造方法は、ストロンチウム溶液と合成クリノプチロライトとを常圧下で接触させることを特徴とする。これにより、クリノプチロライトのイオン交換サイトのイオンがストロンチウムイオンにイオン交換される。
【００４３】
ストロンチウム溶液としては、例えば、ＳｒＣｌ２、Ｓｒ（ＮＯ３）２などの溶解性のストロンチウム塩を水に溶解させた水溶液を挙げることができる。
【００４４】
ストロンチウム溶液と合成クリノプチロライトとを常圧下で接触させる限り、ストロンチウム交換の方法は任意の方法を使用することができる。ストロンチウム交換の方法としては、例えば、回分式、流通式などの方法を挙げることができ、それにより目的とするストロンチウム交換率を有するストロンチウム交換クリノプチロライトを得ることができる。しかしながら、高圧下（例えば、２気圧以上）でのイオン交換方法では、クリノプチロライトの紛体物性が変化するため好ましくない。
【００４５】
ストロンチウム交換を行う温度は４０℃以上であることが好ましく、６０℃以上であることがより好ましい。一方、温度が高くなりすぎるとストロンチウム溶液の濃度が安定しにくくなる。したがって、ストロンチウム交換は１００℃以下の温度で行うことが好ましい。
【００４６】
ストロンチウム交換後のクリノプチロライトはイオン交換水で洗浄、乾燥することが好ましい。これにより、クリノプチロライトの表面に付着した不純物などを除去することができる。
【００４７】
本実施形態のストロンチウム交換クリノプチロライトは、窒素吸着剤として使用することができる。本実施形態のストロンチウム交換クリノプチロライトを吸着分離剤として使用する場合は、４００℃から６００℃程度の温度で加熱し、脱水処理を行うことが好ましい。また、本実施形態のストロンチウム交換クリノプチロライトは成形体とした後に吸着分離剤として使用することもできる。
【発明の効果】
【００４８】
本実施形態のストロンチウム交換クリノプチロライトは、窒素の吸脱着特性に優れる。そのため、ガス分離剤として使用することができる。さらには、粉末形状が変形しにくく、操作性にも優れたストロンチウム交換クリノプチロライトを提供することができる。
【図面の簡単な説明】
【００４９】
【図１】クロマトグラフィーによる吸脱着特性を評価する装置の概略図である。
【図２】実施例３で得られた窒素のクロマトグラムである。
【図３】比較例１で得られた窒素のクロマトグラムである。
【図４】実施例１〜５の、窒素とメタンの保持時間の差とストロンチウム交換率との関係についてのグラフである。ストロンチウム交換率は、表１に示した各実施例のストロンチウム交換率と対応している。
【実施例】
【００５０】
以下、実施例により本発明をさらに具体的に説明する。しかしながら、本発明はこれに限定されるものではない。
（組成分析）
試料をフッ酸溶液及び硝酸を用いて溶解し、ＩＣＰ−ＡＥＳ（使用装置  ＰＥＲＫＩＮ  ＥＬＭＥＲ社製，ＯＰＴＩＭＡ３０００ＤＶ）で試料の組成を測定した。Ｃａ２＋、Ｓｒ２＋、Ｍｇ２＋、Ｎａ＋、Ｋ＋（以下、「カチオン」とする）を測定し、これらの全量に対する各カチオンの割合をｍｏｌ％で算出した。
（クリノプチロライトの結晶含有率）
クリノプチロライトの結晶含有率の測定は、Ｘ線回折により行った。測定は、Ｘ線回折装置（マックサイエンス社製  ＭＸＰ３）を使用して２θ＝３〜４０°の回折ピークを測定した。得られたＸ線回折図から、クリノプチロライトのピークと不純物相のピークの比を求め、当該ピークの比に基づき結晶含有率を算出した。なお、クリノプチロライトの同定は、ＣＯＬＬＥＣＴＩＯＮ  ＯＦ  ＳＩＭＵＬＡＴＥＤ  ＸＲＤ  ＰＯＷＤＥＲ  ＰＡＴＴＥＲＮＳ  ＦＯＲ  ＺＥＯＬＩＴＥＳ  、Ｆｉｆｔｈ  Ｒｅｖｉｓｅｄ  Ｅｄｉｔｉｏｎ  ２００７、ＥＬＳＥＶＩＡ  の２０６〜２０７頁に記載されているＨＥＵ型ゼオライトのＸ線回折データを使用して行った。
（細孔容積）
実施例および比較例のクリノプチロライトを３５０℃で脱水処理した後に、水銀圧入法で評価した。評価装置はＭｉｃｒｏｍｅｒｉｔｉｃｓ社製のオートポア９５１０を使用した。
【００５１】
細孔容積は、細孔直径３〜１０，０００ｎｍの範囲で求め、平均細孔直径は前記細孔直径範囲の５０％細孔容積に相当する細孔直径とした。
（窒素平衡吸着量）
窒素平衡吸着量はＢＥＬＬＳＯＲＰ  ＨＰ（日本ベル株式会社製）を用いた。試料は０．５〜１ｍｍに整粒した。前処理として、３５０℃で２時間、真空下で加熱処理した。吸着温度２５℃において、７６０ｍｍＨｇにおける窒素平衡吸着量を測定した。
（クロマトグラフィーによる窒素の吸脱着特性の評価）
実施例および比較例のクリノプチロライトを０．３５〜０．５ｍｍに成形整粒し、約４．５ｍＬを５００℃で１．５時間、空気中で脱水処理後、２５℃に保持した内径４．３５ｍｍ×長さ３０ｃｍのステンレスカラムにヘリウムを流通しながら充填した。キャリアガスとしてヘリウムを５０ＮｍＬ／ｍｉｎの流量でカラムに流通させて、六方ガスサンプラーの流路を切り替えて、窒素の純ガスをカラムに１ｃｃパルス注入して、出口ガスにおける窒素をＴＣＤ検出器で検出してクロマトグラムを得た。
【００５２】
装置の概略図を図１に示す。図１中、１１が流量計であり、１２が六方ガスサンプラー（１ｍＬ）であり、１３がカラムであり、１４がＴＣＤ検出器であり、１５がマスフローコントローラーである。
【００５３】
実施例１
純水、水酸化ナトリウム水溶液、水酸化カリウム水溶液、ケイ酸ソーダと硫酸アルミニウムから調製した無定形アルミノシリケートゲルを下記の組成となるように混合し、原料混合物を得た。
【００５４】
ＳｉＯ２／Ａｌ２Ｏ３＝１１．７
ＯＨ／ＳｉＯ２＝０．３４
Ｋ／（Ｋ＋Ｎａ）＝０．７０
Ｈ２Ｏ／ＳｉＯ２＝１５
得られた原料混合物に、原料混合物の重量に対して２重量％の天然クリノプチロライトを種晶として加え、攪拌しながら１５０℃で７２時間加熱して結晶化させた。結晶化後、冷却、濾過、洗浄、及び乾燥して粉末状のＮａ，Ｋ型クリノプチロライトを得た。
【００５５】
得られたＮａ，Ｋ型クリノプチロライトは、ＳｉＯ２／Ａｌ２Ｏ３＝９．６、（Ｎａ，Ｋ）２Ｏ／Ａｌ２Ｏ３＝０．９９、Ｋ／（Ｋ＋Ｎａ）＝０．９０であった。
【００５６】
得られたＮａ，Ｋ型クリノプチロライトは、Ｘ線回折測定においてクリノプチロライト以外に帰属できるピークはなく、そのクリノプチロライトの結晶含有率は１００％であった。また、得られた合成クリノプチロライトの細孔直径３〜１０，０００ｎｍの範囲の細孔容積は０．８８ｍＬ／ｇ、平均細孔直径は４１０ｎｍであった。
【００５７】
得られたＮａ，Ｋ型クリノプチロライト３７ｇを１ｍｏｌ／ＬのＳｒＣｌ２、０．２８ｍｏｌ／ＬのＮａＣｌを含む１０００ｍＬのストロンチウムイオンの水溶液（以下、「イオン交換水溶液」という）に添加し、６０℃で２時間攪拌する操作を２回行ってストロンチウム交換を行った。ストロンチウム交換後、大気中、１１０℃で１２時間で乾燥して実施例１のストロンチウム交換クリノプチロライトを得た。組成分析および窒素平衡吸着量の測定結果を表１に示した。
【００５８】
実施例２
１ｍｏｌ／ＬのＳｒＣｌ２、０．１４ｍｏｌ／ＬのＮａＣｌを含む１０００ｍＬイオン交換水溶液を使用してストロンチウム交換したこと以外は実施例１と同様な方法で、実施例２のストロンチウム交換クリノプチロライトを得た。組成分析および窒素平衡吸着量の測定結果を表１に示した。
【００５９】
実施例３
１ｍｏｌ／ＬのＳｒＣｌ２、０．１２ｍｏｌ／ＬのＮａＣｌを含む１０００ｍＬイオン交換水溶液を使用してストロンチウム交換したこと以外は実施例１と同様な方法で、実施例３のストロンチウム交換クリノプチロライトを得た。組成分析および窒素平衡吸着量の測定結果を表１に示した。また、実施例３のストロンチウム交換クリノプチロライトを用いた窒素のクロマトグラムを図２に示した。
【００６０】
実施例４
２ｍｏｌ／ＬのＳｒＣｌ２、０．２８ｍｏｌ／ＬのＮａＣｌを含む１０００ｍＬイオン交換水溶液を使用してストロンチウム交換したこと以外は実施例１と同様な方法で、実施例４のストロンチウム交換クリノプチロライトを得た。組成分析および窒素平衡吸着量の測定結果を表１に示した。
【００６１】
実施例５
０．０５ｍｏｌ／ＬのＳｒＣｌ２、０．１４ｍｏｌ／ＬのＮａＣｌを含む１０００ｍＬイオン交換水溶液を使用してストロンチウム交換したこと以外は実施例１と同様な方法で、実施例５のストロンチウム交換クリノプチロライトを得た。組成分析および窒素平衡吸着量の測定結果を表１に示した。
【００６２】
以上の様に、本発明のストロンチウム交換クリノプチロライトは細孔容積が大きく、同じイオン交換条件でもイオン交換率を高くでき、イオン交換特性に優れていることがわかる。また、クリノプチロライトの純度が高く、例えば窒素平衡吸着量が多い。さらに、本発明のクリノプチロライトは細孔容積が大きいため、窒素のクロマトグラムのピーク幅が小さいことから、吸脱着速度が速く、ガス分離特性に優れることがわかる。
【００６３】
比較例１
日本産の天然クリノプチロライトを用いてストロンチウム交換を行った。用いたクリノプチロライトの組成は、Ｎａ２９．５ｍｏｌ％，Ｋ１３．１ｍｏｌ％，Ｍｇ１４．５ｍｏｌ％，Ｃａ４１．９ｍｏｌ％であった。細孔直径３〜１０，０００ｎｍの範囲の細孔容積は０．３３ｍＬ／ｇ、平均細孔直径は１３９ｎｍであった。
【００６４】
得られたクリノプチロライトを用いて、イオン交換サイトに存在するイオンをカリウムイオンに置換するイオン交換を行なった（以下、「カリウム交換」という）。カリウム交換は０．３５５〜０．５ｍｍに整粒した天然クリノプチロライトをカラムに充填し、１．０５ｍｏｌ／ＬのＫＣｌ溶液を８０℃で２５ｍＬ／ｍｉｎの条件で流通させることで行った。カリウム交換後のクリノプチロライトの組成は、Ｎａ１７．０ｍｏｌ％，Ｋ４７．９ｍｏｌ％，Ｍｇ７．７ｍｏｌ％，Ｃａ２７．４ｍｏｌ％であった。これにより、ストロンチウム交換前のクリノプチロライトの組成を実施例と同様の組成とした。
【００６５】
カリウム交換した天然クリノプチロライトを用いて、実施例１と同様のストロンチウム交換操作を行い、ストロンチウムで交換した天然クリノプチロライトを得た。組成分析および窒素平衡吸着量の測定結果を表１に示した。また、また、比較例１のクリノプチロライトを用いた窒素のクロマトグラムを図３に示す。
【００６６】
比較例２
米国産の天然クリノプチロライトを使用して比較例１と同じカリウム交換処理を行った。カリウム交換前の組成はＮａ７．６ｍｏｌ％，Ｋ２４．４ｍｏｌ％，Ｍｇ２５．１ｍｏｌ％，Ｃａ４２．８ｍｏｌ％であり、細孔直径３〜１０，０００ｎｍの範囲の細孔容積は０．２１ｍＬ／ｇ、平均細孔直径は１４４ｎｍであった。
【００６７】
また、カリウム交換処理後の組成はＮａ６．９ｍｏｌ％，Ｋ６２．５ｍｏｌ％，Ｍｇ１５．９ｍｏｌ％，Ｃａ１４．７ｍｏｌ％であった。
【００６８】
このカリウム交換した天然クリノプチロライトを用いて、実施例１と同様のストロンチウム交換操作を行い、ストロンチウムで交換した天然クリノプチロライトを得た。組成分析および窒素平衡吸着量の測定結果を表１に示した。
【００６９】
比較例１で得られたクリノプチロライトは、実施例５のストロンチウム交換クリノプチロライトよりもストロンチウム交換率が高かった。しかしながら、比較例１の窒素平衡吸着量は実施例５の窒素平衡吸着量に対し６割程度しかなかった。
【００７０】
また、比較例１及び比較例２より、天然クリノプチロライトでは、ストロンチウム交換率が低いだけでなく、ストロンチウム交換率の増加に伴い窒素平衡吸着量が低下することがわかった。
【００７１】
比較例３
実施例１で得られたＮａ，Ｋ型クリノプチロライト３７ｇを１ｍｏｌ／ＬのＣａＣｌ２、０．１４ｍｏｌ／ＬのＮａＣｌを含む１０００ｍＬイオン交換水溶液に添加し、６０℃で２時間攪拌する操作を２回行って、イオン交換サイトに存在するイオンをカルシウムイオンに置換するイオン交換を行なった（以下、「カルシウム交換」という）。カルシウム交換後、大気中、１１０℃で１２時間乾燥して比較例３のカルシウム交換クリノプチロライトを得た。結果を表１に示した。
【００７２】
比較例４
０．１ｍｏｌ／ＬのＣａＣｌ２、０．１４ｍｏｌ／ＬのＮａＣｌを含む１０００ｍＬのイオン交換水溶液を用いたこと以外は比較例３と同様な方法で、比較例４のカルシウム交換クリノプチロライトを得た。結果を表１に示した。
【００７３】
比較例５
２ｍｏｌ／ＬのＣａＣｌ２、０．１４ｍｏｌ／ＬのＮａＣｌを含む１０００ｍＬのイオン交換水溶液を用いたこと以外は比較例３と同様な方法で、比較例５のカルシウム交換クリノプチロライトを得た。結果を表１に示した。
【００７４】
比較例３〜５の結果、ストロンチウムイオンの代わりにカルシウムイオンでイオン交換を行って得られたイオン交換クリノプチロライトは、本発明のクリノプチロライトと比較して窒素平衡吸着量が低いことがわかった。
【００７５】
【表１】
2013147415.tif 000003
（クロマトグラフィーによる窒素の吸着分離特性の評価）
実施例及び比較例のクリノプチロライトを０．３５〜０．５ｍｍに成形整粒し、約４．５ｍＬを５００℃で１．５時間、空気中で脱水処理後、２５℃に保持した内径４．３５ｍｍ×長さ３０ｃｍのステンレスカラムにヘリウム（純度９９．９９９％以上）を流通しながら充填した。キャリアガスとしてヘリウム（純度９９．９９９％以上）を５０ＮｍＬ／ｍｉｎの流量でカラムに流通させて、六方ガスサンプラーの流路を切り替えて、入口ガス（ＣＨ４濃度９０体積％、Ｎ２濃度１０体積％）をカラムに１ｃｃパルス注入して、出口ガスにおける窒素とメタンをＴＣＤ検出器で検出して、得られたクロマトグラムから窒素とメタンの保持時間を分析し、窒素とメタンの保持時間の差を算出した。なお、測定に用いた装置の構成は図１に概略を示した装置と同一である。結果を表２に示した。また、窒素とメタンの保持時間の差とストロンチウム交換率との関係についてのグラフを図４として示す。
【００７６】
【表２】
2013147415.tif 000004
【産業上の利用可能性】
【００７７】
本発明のクリノプチロライトは窒素の吸着特性に優れるため、窒素吸着剤として使用することが可能である。さらには、操作性に優れるため工業的にも容易に扱うことができる。
【図１】
2013147415.tif 000005
【図２】
2013147415.tif 000006
【図３】
2013147415.tif 000007
【図４】
2013147415.tif 000008